【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
複数の放射線撮影部から取得される複数の放射線画像を合成して長尺画像を生成する長尺撮影システムであって、
第一の放射線撮影部と放射線を照射する放射線発生部との間に第二の放射線撮影部を前記第一の放射線撮影部と一部重なるように配置した状態で、前記放射線発生部から放射線を照射することにより前記長尺画像に写り込む前記第二の放射線撮影部の構造物の像を低減するための補正データを記憶する記憶手段と、
前記補正データを用いて、前記第二の放射線撮影部の構造物が写り込んだ部分を補正し、長尺画像を生成する生成手段と、を有することを特徴とする長尺撮影システム。
【請求項２】
前記補正データは、被検体を配置しない状態で撮影した前記第一の放射線撮影部から取得される画像情報に基づくものであることを特徴とする請求項１に記載の長尺撮影システム。
【請求項３】
前記補正データは、前記画像情報における構造物の像に対応する部分が抽出されていることを特徴とする請求項２に記載の長尺撮影システム。
【請求項４】
前記補正データは、前記第一の放射線撮影部と放射線を照射する放射線発生部との間に前記第二の放射線撮影部を前記第一の放射線撮影部と一部重なるように配置した状態で撮影した前記第一の放射線撮影部から取得される放射線画像と、前記第一の放射線撮影部の各画素の入出力特性のばらつきを示すデータを含むものであることを特徴とする請求項１に記載の長尺撮影システム。
【請求項５】
前記第二の放射線撮影部を配置しない状態で前記第一の放射線撮影部に略一様な放射線を照射することにより得られる第一のデータと、前記第一の放射線撮影部と放射線を照射する放射線発生部との間に前記第二の放射線撮影部を前記第一の放射線撮影部と一部重なるように配置した状態で前記第一の放射線撮影部に略一様な放射線を照射することにより得られる第二のデータとに基づいて前記補正データを取得する取得手段をさらに有することを特徴とする請求項１に記載の長尺撮影システム。
【請求項６】
前記補正データは、前記第一のデータ及び前記第二のデータから生成されたものであることを特徴とすることを特徴とする請求項５に記載の長尺撮影システム。
【請求項７】
前記第一のデータは、前記第一の放射線撮影部から取得される放射線画像のゲイン補正に用いられることを特徴とする請求項５に記載の長尺撮影システム。
【請求項８】
前記第二のデータを前記第一のデータで除算することにより、前記補正データが生成されていることを特徴とする請求項６に記載の長尺撮影システム。
【請求項９】
前記生成手段は、前記第一の放射線撮影部と前記第二の放射線撮影部の配置関係に対応する情報に基づいて、前記第一の放射線撮影部から取得される放射線画像を前記補正データで補正することを特徴とする請求項１に記載の長尺撮影システム。
【請求項１０】
前記生成手段は、複数の放射線撮影部の枚数に応じて、前記第一の放射線撮影部から取得される放射線画像を前記補正データで補正することを特徴とする請求項１に記載の長尺撮影システム。
【請求項１１】
前記複数の放射線撮影部を撮影のために配置する複数の収納部をさらに有し、前記生成手段は、前記複数の収納部のうち特定の収納部に配置された、前記第一の放射線撮影部から取得される放射線画像を補正することを特徴とする請求項１乃至１０のいずれか１項に記載の長尺撮影システム。
【請求項１２】
前記複数の収納部に収納された前記第一の放射線撮影部と放射線を照射する放射線発生部との間に、前記第二の放射線撮影部及び第三の放射線撮影部が、前記第一の放射線撮影部と一部重なるように配置されることを特徴とする請求項１１に記載の長尺撮影システム。
【請求項１３】
複数の放射線撮影部から取得される複数の放射線画像を合成して長尺画像を生成する長尺撮影システムであって、
第一の放射線撮影部と放射線を照射する放射線発生部との間に第二の放射線撮影部を前記第一の放射線撮影部と一部重なるように配置した状態で、前記放射線発生部から放射線を照射することにより前記長尺画像に写り込む前記第二の放射線撮影部の構造物の像を低減するための補正データを記憶する記憶手段と、
前記補正データを用いて、前記第二の放射線撮影部が写り込んだ部分を補正し、長尺画像を生成する生成手段と、を有することを特徴とする長尺撮影システム。
【請求項１４】
複数の放射線撮影部から取得される複数の放射線画像を合成して長尺画像を生成する制御装置であって、
第一の放射線撮影部と放射線を照射する放射線発生部との間に第二の放射線撮影部を前記第一の放射線撮影部と一部重なるように配置した状態で、前記放射線発生部から放射線を照射することにより前記長尺画像に写り込む前記第二の放射線撮影部の構造物の像を低減するための補正データを取得する取得手段と、
前記補正データを用いて、前記第二の放射線撮影部の構造物が写り込んだ部分を補正し、長尺画像を生成する生成手段とを有することを特徴とする制御装置。
【請求項１５】
複数の放射線撮影部から取得される複数の放射線画像を合成して長尺画像を生成する制御装置であって、
第一の放射線撮影部と放射線を照射する放射線発生部との間に第二の放射線撮影部を前記第一の放射線撮影部と一部重なるように配置した状態で、前記放射線発生部から放射線を照射することにより前記長尺画像に写り込む前記第二の放射線撮影部の構造物の像を低減するための補正データを取得する取得手段と、
前記補正データを用いて、前記第二の放射線撮影部が写り込んだ部分を補正し、長尺画像を生成する生成手段とを有することを特徴とする制御装置。
【請求項１６】
複数の放射線撮影部から取得される複数の放射線画像を合成して長尺画像を生成する制御方法であって、
第一の放射線撮影部と放射線を照射する放射線発生部との間に第二の放射線撮影部を前記第一の放射線撮影部と一部重なるように配置した状態で、前記放射線発生部から放射線を照射することにより前記長尺画像に写り込む前記第二の放射線撮影部の構造物の像を低減するための補正データを取得するステップと、
前記補正データを用いて、前記第二の放射線撮影部の構造物が写り込んだ部分を補正し、長尺画像を生成するステップと、を有することを特徴とする制御方法。
【請求項１７】
複数の放射線撮影部から取得される複数の放射線画像を合成して長尺画像を生成する制御方法であって、
第一の放射線撮影部と放射線を照射する放射線発生部との間に第二の放射線撮影部を前記第一の放射線撮影部と一部重なるように配置した状態で、前記放射線発生部から放射線を照射することにより前記長尺画像に写り込む前記第二の放射線撮影部の構造物の像を低減するための補正データを取得するステップと、
前記補正データを用いて、前記第二の放射線撮影部が写り込んだ部分を補正し、長尺画像を生成するステップと、を有することを特徴とする制御方法。
【請求項１８】
請求項１５又は請求項１６に記載の制御方法をコンピュータに実行させるためのプログラム。
【請求項１９】
前記補正データは、被検体を配置しない状態で撮影した前記第一の放射線撮影部から取得される画像情報に基づくものであることを特徴とする請求項１５又は請求項１６に記載の制御方法。
【請求項２０】
前記補正データは、前記第一の放射線撮影部と放射線を照射する放射線発生部との間に前記第二の放射線撮影部を前記第一の放射線撮影部と一部重なるように配置した状態で撮影した前記第一の放射線撮影部から取得される放射線画像と、前記第一の放射線撮影部の各画素の入出力特性のばらつきを示すデータを含むことを特徴とする請求項１５又は請求項１６に記載の制御方法。